(57)【要約】      （修正有）【課題】サイズが異なる電子機器を安定して支持することができる上に、放熱効果にも優れた携帯式電源装置を提供する。【解決手段】前面１１１、背面１２１、一対の側面１２２、上面１１２、底面１２３、および電力入力端子１１４、電力出力端子１１５を具えており、上面と底面との距離が、各側面間の距離ならびに前面と背面との距離よりも長く構成されている本体ユニット１０と、電力入力端子および電力出力端子と電気的に連結される電池ユニット２０と、本体ユニットの前面に向かう支持面４５を有するように本体ユニットに枢結されており、本体ユニットの底面付近に枢結されている枢結端部４１、およびその反対側に位置する自由端部４２を有するトレイ４０と、を具え、トレイは、前記枢結により、自由端部が本体ユニットに近づく位置と、本体ユニットから離れる位置と、の間で揺動可能である。【選択図】図２
0003186805.tif 000002
【実用新案登録請求の範囲】
【請求項１】
互いに反対の前面および背面と、該前面および該背面をそれぞれ連結する一対の側面と、該前面および該背面を連結すると共に各該側面とそれぞれ交わる互いに反対の上面および底面と、電力入力端子および電力出力端子と、を具えており、該上面と該底面との距離が、各該側面間の距離ならびに該前面と該背面との距離よりも長く構成されている本体ユニットと、
前記本体ユニット内部に収納されると共に前記電力入力端子および前記電力出力端子と電気的に連結される電池ユニットと、
前記本体ユニットの前記前面に向かう支持面を有するように前記本体ユニットに枢結されているものであって、前記支持面の下端側に位置し前記本体ユニットの前記底面付近に枢結されている枢結端部と、前記支持面の上端側に位置する自由端部と、前記支持面に設けられている支持突起と、を有するトレイと、を具えており、
前記トレイは、前記枢結により、前記自由端部が前記本体ユニットに近づく位置と、前記自由端部が前記本体ユニットから離れる位置と、の間で揺動可能である
ことを特徴とする携帯式電源装置。
【請求項２】
前記支持突起が、前記トレイの前記支持面に前記枢結端部から前記自由端部に向かう方向に間隔を置いて複数設けられている
ことを特徴とする請求項１に記載の携帯式電源装置。
【請求項３】
前記本体ユニットの前記上面には、少なくとも１つの第１の係合部が設けられており、
前記トレイは、前記自由端部から前記本体ユニット側に向かって折れ曲がるように形成された係止板を有しており、該係止板には、前記第１の係合部と嵌合して互いに着脱自在に係止される少なくとも１つの第２の係合部が設けられている
ことを特徴とする請求項１または請求項２に記載の携帯式電源装置。
【請求項４】
前記本体ユニットは、前記背面側に、照明ユニットが設けられている
ことを特徴とする請求項１〜３のいずれか一項に記載の携帯式電源装置。
【請求項５】
前記本体ユニットは、前記背面側に、スイッチボタンと、該スイッチボタンの周りに設けられた電池残量表示部と、を具えている
ことを特徴とする請求項１〜４のいずれか一項に記載の携帯式電源装置。
【請求項６】
前記トレイの前記支持面の幅は、前記本体ユニットの各該側面間の距離と実質的に等しい
ことを特徴とする請求項３に記載の携帯式電源装置。
【請求項７】
前記本体ユニットは、前記前面と前記背面とが実質的に平行であり、
前記底面と前記前面とのなす角度が９０度以下であり、
前記底面と前記背面とのなす角度が９０度以上である
ことを特徴とする請求項１〜６のいずれか一項に記載の携帯式電源装置。
【請求項８】
前記本体ユニットの前記底面には、滑り止め突起が設けられている
ことを特徴とする請求項１〜７のいずれか一項に記載の携帯式電源装置。
【考案の詳細な説明】
【技術分野】
【０００１】
本考案は携帯電話などの充電に供する携帯式電源装置に関するものである。
【背景技術】
【０００２】
従来の携帯式電源装置としては、例えば特許文献１に挙げられているものがある。この携帯式電源装置は、電池が内蔵された本体と、該本体の側面に設けられた電力端子と、該本体の前面に設けられた電子機器設置スロットと、該本体の背面に枢結された支持アームと、を具えたものであって、該支持アームを展開すれば該本体を支持できると共に、給電対象である電子機器の一部を該設置スロットに嵌めて固定することができる。しかしながら、上記設置スロットは、形状、規格が固定されたものであり、対応する電子機器しか設置することができない。また、設置する電子機器が比較的大きいものであったり特に高さが高いものであると、電子機器の重心が、該携帯式電源装置が電子機器を支える支持点よりも遥かに高くなり支持が不安定になる。更に、電子機器と該携帯式電源装置の前面とが緊接しているので、熱の放散性が低下する。
【０００３】
従来の携帯式電源装置の他の例としては、特許文献２に挙げられているものがある。この携帯式電源装置は、第２のケース部と、第２のケース部に連結されている上、電力入力端子、電子機器設置スロット、該設置スロット内に設けられた電力出力端子を有するように構成されている充電モジュールと、前記充電モジュールを内部に収納することができる第１のケース部と、を具えたものであって、給電対象である電子機器の一部を該設置スロットに嵌めて固定することができる上に該電子機器を充電モジュールと共に第１のケース部内に収容して支持することができる。しかしながら、該携帯式電源装置においても、設置スロットの形状は固定されたものなので、やはり通用性に欠ける。
【先行技術文献】
【特許文献】
【０００４】
【特許文献１】台湾登録実用新案第Ｍ３８６６０４号明細書
【特許文献２】台湾登録実用新案第Ｍ４３２１８８号明細書
【考案の概要】
【考案が解決しようとする課題】
【０００５】
本考案は、上記従来技術の各問題点に鑑みてなされたものであり、その目的は、給電対象である電子機器のサイズが異なっても安定してこれを支持することができる上に、放熱効果にも優れた携帯式電源装置の提供にある。
【課題を解決するための手段】
【０００６】
上記目的を達成するための手段として、本考案は、以下の手段を提供する。
【０００７】
即ち、互いに反対の前面および背面、該前面および該背面をそれぞれ連結する一対の側面、該前面および該背面を連結すると共に各該側面とそれぞれ交わる互いに反対の上面および底面、および電力入力端子および電力出力端子を具えており、該上面と該底面との距離が、各該側面間の距離ならびに該前面と該背面との距離よりも長く構成されている本体ユニットと、前記本体ユニット内部に収納されると共に前記電力入力端子および前記電力出力端子と電気的に連結される電池ユニットと、前記本体ユニットの前記前面に向かう支持面を有するように前記本体ユニットに枢結されているものであって、前記支持面の下端側に位置し前記本体ユニットの前記底面付近に枢結されている枢結端部、前記支持面の上端側に位置する自由端部、および前記支持面に設けられている支持突起を有するトレイと、を具えており、前記トレイは、前記枢結により、前記自由端部が前記本体ユニットに近づく位置と、前記自由端部が前記本体ユニットから離れる位置と、の間で揺動可能であることを特徴とする携帯式電源装置を提供する。
【０００８】
また、上記手段においては、前記支持突起が、前記トレイの前記支持面に前記枢結端部から前記自由端部に向かう方向に間隔を置いて複数設けられていることが好ましい。
【０００９】
また、前記本体ユニットの前記上面には、少なくとも１つの第１の係合部が設けられており、前記トレイは、前記自由端部から前記本体ユニット側に向かって折れ曲がるように形成された係止板を有しており、該係止板には、前記第１の係合部と嵌合して互いに着脱自在に係止される少なくとも１つの第２の係合部が設けられていることが好ましい。
【００１０】
更に、前記本体ユニットは、前記背面側に、照明ユニットを、前記背面側に、スイッチボタンと、該スイッチボタンの周りに設けられた電池残量表示部と、を具えていることが好ましい。
【００１１】
また、前記トレイの前記支持面の幅は、前記本体ユニットの各該側面間の距離と実質的に等しいことが好ましく、加えて、前記本体ユニットは、前記前面と前記背面とが実質的に平行であり、前記底面と前記前面とのなす角度が９０度以下であり、前記底面と前記背面とのなす角度が９０度以上であることが好ましい。
【００１２】
加えて、前記本体ユニットの前記底面には、滑り止め突起が設けられていることが好ましい。
【考案の効果】
【００１３】
上記手段によれば、電力を供給できるだけでなく、前記トレイが、前記本体ユニットに対して揺動可能に枢結されているので、前記トレイをその自由端部が前記本体ユニットから離れる位置に展開すれば、前記トレイの前記支持面および前記本体ユニットの前記上面と前記前面とで、異なるサイズの電子機器を安定して支持することができる上に、電子機器と前記本体ユニットとの間には隙間ができるので、放熱効果にも優れる。
【図面の簡単な説明】
【００１４】
【図１】本考案に係る携帯式電源装置の好ましい実施形態を示す組み合わせ斜視図である。
【図２】上記実施形態を示す分解斜視図である。
【図３】上記実施形態を示す正面図である。
【図４】上記実施形態を示す背面図である。
【図５】図４におけるＶ−Ｖ線に沿った断面図である。
【図６】上記実施形態の使用態様を示す斜視図である。
【図７】上記実施形態の使用態様を示す側視図である。
【図８】上記実施形態の他の使用態様を示す斜視図である。
【考案を実施するための形態】
【００１５】
以下、添付図面を参照しながら、本考案の具体的な実施形態を詳細に説明する。
【００１６】
図１に斜視図、図２に分解斜視図、図３に正面図として示されているように、本考案に係る携帯式電源装置は、その好ましい実施形態において、本体ユニット１０と、電池ユニット２０と、照明ユニット３０と、トレイ４０と、を具えている。
【００１７】
（本体ユニット１０）
本体ユニット１０は、特に図２に示されているように、本体１１と、本体１１との間に収容空間１３となる隙間が画成されるように本体１１と組み合わせられている背板１２と、からなっている。
【００１８】
また、本体ユニット１０は、本体１１の背板１２に向かう面と反対の面である前面１１１と、背板１２の本体１１に向かう面と反対の面である背面１２１と、背板１２側に設けられていると共に前面１１１および背面１２１をそれぞれ連結する一対の側面１２２、１２２と、本体１１側に設けられていると共に前面１１１および背面１２１をそれぞれ連結し且つ各側面１２２、１２２と交わる互いに反対の上面１１２および底面１２３と、を有している。
【００１９】
本体ユニット１０の上面１１２には、１つの電力入力端子１１４と、電力入力端子１１４を間に挟む２つの電力出力端子１１５と、が設けられている。
【００２０】
ここで、上面１１２と底面１２３との間の距離を本体ユニット１０の高さｈ、両方の側面１２２、１２２の間の距離を本体ユニット１０の幅ｗ、前面１１１と背面１２１との間の距離を本体ユニット１０の厚さｔとすると、高さｈは、幅ｗよりも大きく且つ厚さｔよりも大きい。また、本体ユニット１０は、前面１１１と背面１２１とが実質的に平行であり、底面１２３と前面１１１との成す第１の角度θ１が９０度以下であり、底面１２３と背面１２１との成す第２の角度θ２が９０度以上であるように構成されている（図５参照）。なお、本実施形態では、第１の角度θ１を約８４度、第２の角度θ２を約１０６度として構成した。これにより、本実施形態においては、底面１２３を支持面に置いて本体ユニット１０を立置した際に、本体ユニット１０は背面１２１側に多少傾く。また、第１の角度θ１および第２の角度θ２をそれぞれ約９０度として本体ユニット１０がほぼ直立するように構成することも可能である。
【００２１】
本体ユニット１０の前面１１１は、図６に示されているように、上記幅ｗの方向に沿って延伸するように形成されていると共に互いに上記高さｈの方向に間隔を置いて複数突設されている棒状突起１１６と、複数凹設されている嵌合溝１１７とを有している。
【００２２】
本体ユニット１０の上面１１２は、図６に示されているように、前面１１１に近い側に、それぞれ溝状に凹設された一対の第１の係合部１１８、１１８を有している。
【００２３】
本体ユニット１０の底面１２３は、図４および図５に示されているように、背面１２１に近い側に、側面視でＵ字型を呈するように突設された滑り止め突起１２４を有している。
【００２４】
本体ユニット１０の背面１２１は、上面１１２に近い側に設けられたスイッチボタン１４と、スイッチボタン１４の周囲にスイッチボタン１４と同心に設けられた電池残量表示部１５と、を有している。
【００２５】
スイッチボタン１４は、電源ボタンであって、本実施形態に係る携帯式電源装置のオン／オフを切り替えられるものである。電池残量表示部１５は、電池ユニット２０の電池残量を示すものであり、スイッチボタン１４を囲むように等間隔に設けられている４つの電池残量表示灯１５１を有している。
【００２６】
（電池ユニット２０）
電池ユニット２０は、本体ユニット１０の内部、つまり収容空間１３に収納されていると共に、電力入力端子１１４および各電力出力端子１１５と電気的に連結されている。電池ユニット２０としては、繰り返し充電および放電が可能な二次電池を用いることが好ましく、本実施形態においてはリチウム電池を用いた。
【００２７】
（照明ユニット３０）
照明ユニット３０は、本体ユニット１０の背面１２１における上面１１２に近い側に、具体的には、電池残量表示部１５と上面１１２との間に設けられており、電池ユニット２０から供給される電流により発光することができる。また、照明ユニット３０の発光のオン／オフは、例えばスイッチボタン１４の操作により切り替えることができる。
【００２８】
（トレイ４０）
トレイ４０は、本体ユニット１０の前面１１１に向かう支持面４５を有するように本体ユニット１０に枢結されており、支持面４５の下端側に位置すると共に本体ユニット１０の前面１１１における底面１２３付近に枢結されている枢結端部４１と、枢結端部４１と反対側つまり支持面４５の上端側に位置する自由端部４２と、支持面４５に突設されている複数の支持突起４３と、を有している。また、トレイ４０の幅ｗ１は、本体ユニット１０の幅ｗとほぼ同じである（図１参照）。
【００２９】
枢結端部４１の左右両端には、それぞれＵ型を呈しておりそれぞれの一端が枢結端部４１に固定されていると共にそれぞれの他端が本体ユニット１０にピボット結合されている一対の鉤爪４１１、４１１が設けられている。
【００３０】
このように枢結端部４１と本体ユニット１０とが枢結されていることにより、トレイ４０は、その自由端部４２が本体ユニット１０に近づくと共に支持面４５が本体ユニット１０の前面１１１とほぼ平行になる収納位置（図５参照）と、反対に、自由端部４２が本体ユニット１０から離れて支持面４５が本体ユニット１０の底面１２３とほぼ平行になる展開位置（図７参照）と、の間で揺動可能となっている。なお、トレイ４０は、上記展開位置まで来ると、各鉤爪４１１の上記他端側が本体ユニット１０の前面１１１の裏側である内面に当接することで、上記展開位置以上に展開しないように係止される。
【００３１】
自由端部４２には、自由端部４２から更に延伸して、トレイ４０が上記収納位置にある際に本体ユニット１０の上面１１２の一部を覆うことができるように本体ユニット１０側に向かって折れ曲がるように形成された係止板４４が設けられている。係止板４４には、トレイ４０が上記収納位置に来ると、本体ユニット１０の上面１１２に設けられている第１の係合部１１８と嵌合して互いに着脱自在に係止される一対の第２の係合部４４１が突設されている。なお、第１の係合部１１８および第２の係合部４４１の各数量については、本実施形態では第１の係合部１１８および第２の係合部４４１を上述のようにそれぞれ２つ設けたが、これらは互いに数量が対応するように少なくとも１つずつ設けられればよく、また、第１の係合部１１８および第２の係合部４４１の各形状についても、本実施形態とは逆に、第１の係合部１１８を突起状に、第２の係合部４４１を溝状に設けて着脱自在に嵌合するように構成しても構わない。
【００３２】
支持突起４３は、トレイ４０の支持面４５に上下方向、つまり枢結端部４１から自由端部４２に向かう方向に互いに間隔を置いて複数設けられている。なお、これら支持突起４３は、トレイ４０が前記収納位置に来た際に本体ユニット１０の前面に設けられている嵌合溝１１７に嵌り込むように、その数量および位置が嵌合溝１１７と対応している。
【００３３】
図３、図４、図５に示されているように、本実施形態に係る携帯式電源装置は、トレイ４０が収納位置にある際には、給電対象である電子機器を電力出力端子１１５に電気的に接続することで、該電子機器に給電することができる。また、本体ユニット１０はその重心の水平面への垂直投影点が底面１２３の範囲内にあるので、本体ユニット１０を底面１２３を下にして水平面に置けば自立することができる。
【００３４】
また、図６、図７に示されているように、本実施形態に係る携帯式電源装置は、トレイ４０が展開位置にある際には、トレイ４０の外面（図７における下側の面）と本体ユニット１０の底面１２３とを下にして水平面に置けば、本体ユニット１０が更に安定して自立できると共に、給電対象である電子機器（携帯電話、タブレットコンピュータ、電子ブックなど）を、その背面が本体ユニット１０の上面１１２と前面１１１とが交わる箇所に当接すると共にその下端がトレイ４０の支持面４５および係止板４４に、またはいずれかの支持突起４３に係止されて固定されるように支持することができる。
【００３５】
以上の構造により、本考案に係る携帯式電源装置は以下の効果をもたらす。
【００３６】
まず、電子機器を、その背面を本体ユニット１０で、その下端をトレイ４０でそれぞれ支持するので、サイズの異なる様々な電子機器を支持することができる。更に、電子機器が特にサイズの小さいものでも、本体ユニット１０の前面１１１に設けられている棒状突起１１６と、トレイ４０の支持突起４３と、の間で支持することも可能である。また、電子機器の下端をそれぞれ位置の異なる支持突起４３に合わせることで、電子機器の水平面に対する角度を電子機器を使用しやすいように変化させることができる。
【００３７】
また、電子機器を上記のように支持することで、本体ユニット１０の前面１１１およびトレイ４０の支持面４５と電子機器との間に隙間ができ緊接しないので、放熱性が向上する。
【００３８】
更に、付加機能として、照明ユニット３０を、トレイ４０の収納状態においては懐中電灯のように、またトレイ４０の展開状態においては電気スタンドのように用いることも可能である。
【００３９】
以上、本考案の好ましい実施形態を説明したが、本考案はこれに限定されるものではなく、その要旨を逸脱しない範囲で種々変更可能であることはいうまでもない。
【産業上の利用可能性】
【００４０】
本考案に係る携帯式電源装置は、電源を供給できるだけでなく、トレイを具えていることにより給電対象を支持する装置として、また照明ユニットを具えていることにより照明装置としても使用できるので、多機能な携帯式電源装置として有用である。
【符号の説明】
【００４１】
１０          本体ユニット
１１          本体
１１１        前面
１１２        上面
１１４        電力入力端子
１１５        電力出力端子
１１６        棒状突起
１１７        嵌合溝
１１８        第１の係合部
１２          背板
１２１        背面
１２２        側面
１２３        底面
１２４        滑り止め突起
１３          収容空間
１４          スイッチボタン
１５          電池残量表示部
１５１        電池残量表示灯
２０          電池ユニット
３０          照明ユニット
４０          トレイ
４１          枢結端部
４１１        鉤爪
４２          自由端部
４３          支持突起
４４          係止板
４４１        第２の係合部
４５          支持面
【図１】
0003186805.tif 000003
【図２】
0003186805.tif 000004
【図３】
0003186805.tif 000005
【図４】
0003186805.tif 000006
【図５】
0003186805.tif 000007
【図６】
0003186805.tif 000008
【図７】
0003186805.tif 000009
【図８】
0003186805.tif 000010